(57)【特許請求の範囲】
【請求項１】
シューズアッパー（２）と、少なくとも１つのテンション要素（４、５）を用いて着用者の足に靴（１）を紐締めする回転留め具（３）とを備える靴（１）において、前記回転留め具（３）が前記靴（１）のインステップ（６）上に配置され、また前記回転留め具（３）が、回転自在に配置されたテンションローラー（７）を有する靴（１）、特に運動靴であって、
第１のテンション要素（４）が、前記シューズアッパー（２）の外側（Ｌ）を走るよう配置され、
第２のテンション要素（５）が、前記シューズアッパー（２）の内側（Ｍ）を走るよう配置され、
このとき、２つのテンション要素（４、５）が、その２つの端部（８、９、１０、１１）によって前記テンションローラー（７）に固定され、それぞれが、前記シューズアッパー（２）の前記外側（Ｌ）または前記内側（Ｍ）に閉曲線（１２）を形成し、
各前記テンション要素（４、５）は前記テンションローラー（７）から第１の偏向要素（１３）に走っていて、前記第１の偏向要素（１３）が、前記シューズアッパー（２）の底部領域において、前記靴の先端（１４）から測って長手方向長さ（ＧＬ）の３０〜４２％の領域に配置される位置で前記テンション要素（４、５）を偏向させ、
各前記テンション要素（４、５）は前記第１の偏向要素（１３）から第２の偏向要素（１５）に走っていて、前記第２の偏向要素（１５）が、前記シューズアッパー（２）の底部領域において、前記靴の先端（１４）から測って長手方向長さ（ＧＬ）の５０〜６０％の領域に配置される位置で前記テンション要素（４、５）を偏向させ、
各前記テンション要素（４、５）は前記第２の偏向要素（１５）から第３の偏向要素（１６）に走っていて、このとき、前記第３の偏向要素（１６）が、前記回転留め具（３）に隣接する前記シューズアッパー（２）の上部領域に配置され、
各前記テンション要素（４、５）は前記第３の偏向要素（１６）から第４の偏向要素（１７）に走っていて、前記第４の偏向要素（１７）が、前記シューズアッパー（２）の底部領域において、前記靴の先端（１４）から測って長手方向長さ（ＧＬ）の５５〜７０％の領域に配置される位置で前記テンション要素（４、５）を偏向させ、
各前記テンション要素（４、５）は前記第４の偏向要素（１７）から第５の偏向要素（１８）に走っていて、前記第５の偏向要素（１８）が、前記靴（１）の全高の３３〜６６％の領域において、前記靴の先端（１４）から測って長手方向長さ（ＧＬ）の７５〜９０％の領域に配置される位置で前記テンション要素（４、５）を偏向させ、このとき、前記テンション要素（４、５）が前記第５の偏向要素（１８）から前記テンションローラー（７）に走っている
ことを特徴とする靴。
【請求項２】
前記シューズアッパー（２）の前記外側（Ｌ）および前記内側（Ｍ）にある前記２つのテンション要素（４、５）の２つの前記閉曲線（１２）は、前記靴（１）の中心面に対し実質的に対称であり、このとき前記中心面が前記靴（１）の長手方向に垂直である
請求項１に記載の靴。
【請求項３】
前記テンションローラー（７）は電動機駆動装置を用いて回転させることができる
請求項１または２に記載の靴。
【請求項４】
前記テンションローラー（７）の回転軸（ａ）は、前記インステップ（６）の領域で前記靴（１）の表面に対して垂直である
請求項１ないし３のいずれかに記載の靴。
【請求項５】
前記偏向要素（１３、１５、１６、１７、１８）の少なくとも１つは、前記靴（１）の前記シューズアッパー（２）および／または前記ソール（１９）に固定された、特に縫い付けられた輪として設計されている
請求項１ないし４のいずれかに記載の靴。
【請求項６】
前記輪は、前記靴（１）の前記シューズアッパー（２）および／または前記ソール（１９）に縫い付けられたバンドで構成される
請求項５に記載の靴。
【請求項７】
前記第５の偏向要素（１８）は前記靴（１）のかかと領域（２０）を取り囲む
請求項１ないし６のいずれかに記載の靴。
【請求項８】
前記第５の偏向要素（１８）は前記靴（１）の側面図においてＶ字デザインを有し、このとき、前記靴（１）の側面図において、Ｖ字構造の一方の足が前記かかと領域（２０）の上部で終わり、前記Ｖ字構造のもう一方の足が前記かかと領域（２０）の下部で終わる
請求項７に記載の靴。
【請求項９】
前記テンション要素（４、５）は引張ワイヤーである
請求項１ないし８のいずれかに記載の靴。
【請求項１０】
前記テンション要素（４、５）はポリアミドを含む、またはこの材料で構成される
請求項１ないし９のいずれかに記載の靴。
【発明の詳細な説明】
【技術分野】
【０００１】
本発明は、シューズアッパーと、少なくとも１つのテンション要素を用いて着用者の足に靴を紐締めする回転留め具とを備える靴において、回転留め具が靴のインステップ上に配置されており、また回転留め具が、回転自在に配置されたテンションローラーを有する靴、特に運動靴であって、第１のテンション要素が、シューズアッパーの外側を走るよう配置されており、第２のテンション要素が、シューズアッパーの内側を走るよう配置されており、２つのテンション要素が、その２つの端部によってテンションローラーに固定されており、それぞれが、シューズアッパーの外側または内側に閉曲線を形成する靴に関する。
【背景技術】
【０００２】
回転留め具を備えた靴は、例えば特許文献１から知られている。そのような回転留め具を用いることで、テンション要素（レース糸またはレースワイヤー）を締める際に、回転ノブを低トルクで回転させることによって、靴の紐締めに十分に高い引張力を生み出すことが可能となる。さらに、靴を脱ぐ必要がある場合には、テンション要素を簡単に緩めることもできる。回転留め具は、容易に操作できるよう、好ましくは靴のインステップ上に配置されている。
【０００３】
上述した種類の靴は特許文献２から知られている。その他の解決策は、特許文献３、特許文献４、および特許文献５に示されている。
【０００４】
しかしながら、既知のクロージャーシステムでは制限が存在することがわかっている。すなわち、テンション要素の張力が、紐締めのときにシューズアッパーに沿って必ずしも均等に配分されるわけではなく、そのため、引張力の配分に関して不均等性が生じる。
【先行技術文献】
【特許文献】
【０００５】
【特許文献１】独国実用新案第２９７０１４９１号明細書
【特許文献２】欧州特許出願公開第０２５５８６９号明細書
【特許文献３】独国実用新案第２９８１７００３号明細書
【特許文献４】米国特許出願公開第２００５／０２２４２７号明細書
【特許文献５】独国実用新案第９２００９８２号明細書
【発明の概要】
【発明が解決しようとする課題】
【０００６】
本発明の課題は、上述した種類の靴、特に運動靴を、回転留め具、例えば中央留め具を簡単に操作したときに、靴が着用者の足に最適にフィットするように設計することである。したがって、回転留め具を用いた靴の紐締めは、テンション要素の張力ができるだけ均等に配分されるように行われる必要がある。それにより、着用者の足への靴のフィット感が改善することになる。
【課題を解決するための手段】
【０００７】
本発明によるこの課題の解決策は、各テンション要素がテンションローラーから第１の偏向要素に走っており、第１の偏向要素が、シューズアッパーの底部領域において、靴の先端から測って長手方向長さの３０〜４２％の領域に配置される位置でテンション要素を偏向させることを特徴とする。
【０００８】
それにより、シューズアッパーの外側と内側にある２つのテンション要素の２つの閉曲線は、好ましくは靴の中心面に対し実質的に対称に設計されており、このとき中心面は靴の長手方向に垂直に走っている。
【０００９】
テンションローラーは電動機駆動装置を用いて回転させることができる。別法として、手動操作が可能である。
【００１０】
テンションローラーの回転軸は、好ましくは、インステップの領域で靴の表面に対して垂直である。
【００１１】
特に好ましくは、シューズアッパーの２つの面にある２つのテンション要素の特別なガイダンスは、引張力の最適な配分が得られ、それにより靴が着用者の足に最適にフィットするよう設けられている。
【００１２】
ここで、各テンション要素は第１の偏向要素から第２の偏向要素に走るよう設けることができ、第２の偏向要素が、シューズアッパーの底部領域において、靴の先端から測って長手方向長さの５０〜６０％の領域に配置される位置でテンション要素を偏向させる。
【００１３】
さらに、各テンション要素は第２の偏向要素から第３の偏向要素に走ることができ、このとき、第３の偏向要素が、回転留め具に隣接するシューズアッパーの上部領域に配置されている。
【００１４】
各テンション要素は第３の偏向要素から第４の偏向要素に走ることができ、第４の偏向要素が、シューズアッパーの底部領域において、靴の先端から測って長手方向長さの５５〜７０％の領域に配置される位置でテンション要素を偏向させる。
【００１５】
最終的に、各テンション要素は第４の偏向要素から第５の偏向要素に走るよう設けることができ、第５の偏向要素が、靴の全高の３３〜６６％の領域において、靴の先端から測って長手方向長さの７５〜９０％の領域に配置される位置でテンション要素を偏向させ、このとき、テンション要素が第５の偏向要素からテンションローラーに走っている。
【００１６】
これに関して、シューズアッパーの底部領域における上述した偏向要素の配置は、偏向要素がそれぞれ靴のソールと、ソールのいくらか上方のシューズアッパーとに固定されており、そのためテンション要素の偏向の位置が、（靴を床に立たせたときに）シューズアッパーの垂直方向長さの２０％の位置より下の高さ領域にあると理解されるものとする。
【００１７】
これに関して、偏向要素の少なくとも１つは、靴のシューズアッパーおよび／またはソールに固定された、特に縫い付けられた輪として設計することができる。
【００１８】
これに関して、輪は、靴のシューズアッパーおよび／またはソールに縫い付けられたバンドで構成できる。
【００１９】
上述した第５の偏向要素は、好ましくは、靴のかかと領域を取り囲む。これに関して、好ましくは、第５の偏向要素が靴の側面図においてＶ字デザインを有し、このとき、靴の側面図において、Ｖ字構造の一方の足がかかと領域の上部で終わり、Ｖ字構造のもう一方の足がかかと領域の下部で終わるよう設けられている。
【００２０】
テンション要素は、好ましくは引張ワイヤーである。これは、ポリアミドを含む、またはこの材料で構成できる。
【００２１】
したがって、本発明の中心となる態様は、回転留め具が、１つは靴の外側領域用、もう１つは靴の内側領域用に２本の別々の引張ワイヤーを張ることである。
【００２２】
これにより得られる効果は、靴を紐締めするときに、ソールが、特に結合部の領域において上方に引っ張られ（「サンドイッチ効果」）、同様に、かかとが前部領域に引っ張られることである。これにより、紐締めを有利に改善することができる。
【００２３】
手動で操作する回転留め具を使用する場合、好ましくは、特許文献２に記載されている解決策が採用される。その限りにおいて、特許文献２は明示的に参照されている。
【００２４】
しかしながら、電気的に駆動される回転留め具も、例えば特許文献３に記載されているように有利に採用できる。
【図面の簡単な説明】
【００２５】
【図１】回転留め具で紐締めすることができる運動靴の概略側面図
【図２】テンション要素の端部の固定を概略的に示した回転留め具のテンションローラーの概略説明図
【発明を実施するための形態】
【００２６】
図面に、本発明の一実施形態を示す。
図１において靴１は、シューズアッパー２とソール１９とを備える運動靴の形で示されている。靴１およびシューズアッパー２の外側Ｌは、描かれている側面図にそれぞれ示されており、靴１およびシューズアッパー２の内側Ｍは、それぞれ靴１の反対側にあって図示できない（参照符号Ｍで示す）。
【００２７】
靴１の紐締めは回転留め具３を用いて（すなわち、中央のクロージャーで）行い、このとき、２つのテンション要素４および５が、テンションローラー７を（ハンドホイール２１で）回転させることによってテンションローラーに巻き付けられ、そうしてシューズアッパー２が靴１の着用者の足で紐締めされる。
【００２８】
回転留め具３は靴１のインステップ６上に配置されている。そのため、回転留め具３は、靴の使用者が使用するのに便利である。
【００２９】
したがって、テンションローラー７の回転軸は、靴のインステップ６の領域において垂直である。
【００３０】
第１のテンション要素４はシューズアッパー２の外側Ｌに設けられ、第２のテンション要素５はシューズアッパー２の内側Ｍに設けられている。
【００３１】
図２の概略図からわかるように、第１のテンション要素４の２つの端部８および９と、第２のテンション要素５の２つの端部１０および１１は、テンションローラー７の巻き付け領域に固定されているため、紐締めに効率的に利用できるテンション要素４および５の部分はそれぞれ、テンションローラー７を回転させることによって短くすることができ、それにより靴の紐締めが行われる。
【００３２】
したがって、図１に示す外側Ｌの第１のテンション要素４の閉曲線１２は、テンションローラー７を回転させると縮小し、シューズアッパー２が靴１の着用者の足に引き寄せられる。
【００３３】
図１からわかるように、閉曲線１２、すなわちシューズアッパー２の外側Ｌにあるテンション要素４のガイド（シューズアッパー２の内側Ｍについても同様）は特別に設計されている。すなわち、５つの偏向要素、すなわち、第１の偏向要素１３、第２の偏向要素１５、第３の偏向要素１６、第４の偏向要素１７、第５の偏向要素１８が配置されている。
【００３４】
それにより、第１の偏向要素１３は、靴の前部領域に、すなわち、靴の先端１４から測って靴の長手方向全長ＧＬの３０〜４２％に相当する靴の長手位置に配置されている。これにより、輪として設計される偏向要素１３は、実質的にソール１９とシューズアッパー２の間の移行領域につながっている。
【００３５】
第２の偏向要素１５は、テンション要素４が、第１の偏向要素１４から後端部に（かかとに向けて）実質的に水平にガイドされるように位置決めされている。第２の偏向要素１５の長手位置は、同じく靴の先端１４から測って長手方向長さＧＬの５０〜６０％の印のところに位置付けられている。
【００３６】
テンション要素４は、第２の偏向要素１５から、回転留め具３に向けて上方にガイドされている。回転留め具３の下に第３の偏向要素１６が配置されており、これがテンション要素４を実質的に１８０度偏向させ、再び下方に、すなわち第４の偏向要素１７に向けてガイドする。この第４の偏向要素１７は、靴の長手方向長さＧＬの５５〜７０％の印のところに位置付けられている。
【００３７】
最後に、テンション要素４は、第４の偏向要素１４から、靴の全高の３３〜６６％の高さ位置に配置されている第５の偏向要素１８にガイドされている。第５の偏向要素１８の長手位置については、靴の先端１４から測って長手方向長さＧＬの７５〜９０％の領域にある位置に配置されている。次いでテンション要素４は、第５の偏向要素１８から回転留め具３に戻る。
【００３８】
本実施形態において、偏向要素１３、１５、１６、１７、１８はすべて、輪を形成し、シューズアッパーに固定されているバンドとして設計されている。第５の偏向要素１８については、靴１のかかと領域２０を囲むように走っており、それぞれこれにつながっていることがわかる。
【００３９】
図１で確認できる第５の偏向要素１８の２つの右端領域は、かかと２０の異なる高さ位置から、すなわち、一方はソール１９に近い比較的低いところから、もう一方はかかと２０の上端部の少し下から始まる。ゆえに、描かれているＶ字構造が生じる。
【００４０】
閉曲線１２は、シューズアッパー２の両側で、すなわち、靴１の中央にある、垂直に配向し、靴の長手方向に走る中心面に対し、実質的に対称に設計されている。
【００４１】
提案された設計により、靴は、靴の着用者がテンションローラー７を回転させることによって非常に簡単に紐締めすることができるだけでなく、テンション要素４および５の圧力が非常に均等に配分され、靴１が着用者の足に均等にフィットするようになる。
【００４２】
これについて、シューズアッパー２の最外層は、テンション要素４および５を覆うことによって、これらが見えないようにすることができる。
【符号の説明】
【００４３】
１  靴
２  シューズアッパー
３  回転留め具
４  第１のテンション要素
５  第２のテンション要素
６  インステップ
７  テンションローラー 
８  第１のテンション要素の端部
９  第１のテンション要素の端部
１０  第２のテンション要素の端部
１１  第２のテンション要素の端部
１２  閉曲線
１３  第１の偏向要素
１４  靴の先端
１５  第２の偏向要素
１６  第３の偏向要素
１７  第４の偏向要素
１８  第５の偏向要素
１９  ソール
２０  かかと領域
２１  ハンドホイール 
Ｍ  シューズアッパーの内側
Ｌ  シューズアッパーの外側
ａ  テンションローラーの回転軸
ＧＬ  靴の長手方向長さ
【図１】
0006529593.tif 000002
【図２】
0006529593.tif 000003